(57)【要約】      （修正有）【課題】手動によって容易且つ素早く昇降輪を所定位置に確実に調節可能となる農業用管理機の昇降輪の高さ調節装置を提供する。【解決手段】ロータリの後方に駆動輪を備え、前方に耕耘深さ調節用の昇降輪５を配設した管理機において、機体下部に配着し、板面に枢支部１０を備えると共に枢支部を中心とした同一円周上に複数の係止孔１１を設けたブラケット８と、先端部に昇降輪の枢支部を備えると共にブラケット枢支部１０に基端部を枢支し、ブラケット係止孔１１に連通可能な貫挿孔１７を設けたアーム１４と、基端部を枢支部１０に枢支し、先端部をアームに沿って前方に突出させ、中間部に、アーム貫挿孔を貫通して先端部がブラケット係止孔に出没する出没キー１６を備えた操作ロッド１５と、アームと操作ロッドとの間にあり出没キーを係止孔１１に嵌入する方向に付勢させたバネ１９とから成る。【選択図】図３
0003185596.tif 000002
【実用新案登録請求の範囲】
【請求項１】
機体下部の耕耘用ロータリの後方には走行用駆動輪を備え、前方には耕耘深さ調節用の昇降輪を高さ調節可能に配設した管理機において、
前記ロータリの近傍の機体下部に配着し、板面に枢支部を備えると共に該枢支部を中心とした同一円周上に段階的間隔を置いて複数の係止孔を設けたブラケットと、
先端部に前記昇降輪を回転自在に枢支するための枢支部を備えると共に前記ブラケットの枢支部に基端部を上下揺動可能に枢支し、前記ブラケットの係止孔に連通可能な貫挿孔を設けたアームと、
基端部を前記枢支部に上下揺動自在に枢支し、先端部を前記アームに沿って前方に突出させ、中間部に前記アームの貫挿孔に先端部が貫通し且つ前記ブラケットの係止孔に対して出没可能とする出没キーを備えた操作ロッドと、
前記アームと前記操作ロッドとの間に前記出没キーの先端部を前記係止孔に対して嵌入する方向に付勢させて設けたバネと、から成ることを特徴とする管理機における昇降輪の高さ調節装置。
【請求項２】
ブラケットを左右平行なブラケットに形成し、該両ブラケット内の枢支部にアーム及び操作ロッドを枢着し、該操作ロッドに備えた出没キーの後端部を前記ブラケットの板面まで突出させ、係止孔を備えたブラケット面と対向するブラケット面には前記出没キーの後端部が通過可能となるスライド溝を形成したことを特徴とする請求項１に記載の管理機における昇降輪の高さ調節装置。
【請求項３】
各係止孔が、昇降輪の最下部と駆動輪の最下部とを結ぶ基準線に対して、ロータリの最下部が接触せずに上方となるよう位置決めしたロータリ浮上段用係止孔と、ロータリの最下部が僅かに下方となるよう位置決めした浅耕段用係止孔と、ロータリの最下部が爪部の長さの半分程度下方となるよう位置決めした中耕段用係止孔と、ロータリの回転軸が下方となるよう位置決めした深耕段用係止孔とから成ることを特徴とする請求項１又は２に記載の管理機における昇降輪の高さ調節装置。
【考案の詳細な説明】
【技術分野】
【０００１】
本考案は農業用歩行型管理機の耕耘用ロータリの前方に設けられた昇降輪を上下移動させることでロータリによる耕耘の深さを決める昇降輪の高さ調節装置に関する。
【背景技術】
【０００２】
従来の農業用歩行型管理機は、動力源、トランスミッション、クラッチ等を備えた機体の上部には操縦用のハンドルを備え、下部には駆動輪及び耕耘用ロータリを備えている。
そして、前記ロータリの回転による農地耕耘の深さを調節するために該ロータリの前方にあって上下の調節が可能となる昇降輪が装着され、該昇降輪は上げて高い位置に調節すると前記ロータリの位置が相対的に下がるので農地が深く耕せ、又該昇降輪を下げると前記ロータリの位置が相対的に上がるので農地は浅く耕せる仕組みとなっている。
前記昇降輪の高さを調節することに関して、例えば下記特許文献１の「歩行型耕耘機」は、車輪ブラケットに昇降車輪のアームを枢支し、該アームを上下に揺動させ、昇降固定具によって前記車輪ブラケットに設けた長溝の任意の位置にアームを固定させることによって前記昇降車輪の高さ位置を調節可能としている。
【先行技術文献】
【特許文献】
【０００３】
【特許文献１】特開２００６−１９１８６６号公報
【考案の概要】
【考案が解決しようとする課題】
【０００４】
しかしながら、上記特許文献１では昇降固定具による昇降車輪の高さの調節は、長溝に対してどの位置にでも任意に設定できる構造であるため、該昇降固定具の締め付けに時間を要するだけではなく、該昇降固定具での締め付けが不十分で少しでも緩い場合には機体の荷重を受けた昇降車輪が容易に上ずれを起こしてしまい、任意の位置での確実な固定が困難となる。
本考案は上記事情に鑑み、手動によって容易且つ素早く昇降輪を所定位置に確実に調節可能となる昇降輪の高さ調節装置を提供することを目的とする。
【課題を解決するための手段】
【０００５】
上記課題を解決するため、本考案の昇降輪の高さ調節装置における請求項１に記載の考案は、機体下部の耕耘用ロータリの後方に走行用駆動輪を備えた農業用歩行型管理機の前記ロータリの前方側に設けられ、板面に枢支部を備えると共に該枢支部を中心とした同一円周上に段階的間隔を置いて複数の係止孔を設けたブラケットと、先端部に前記昇降輪を回転自在に枢支するための枢支部を備えると共に前記ブラケットの枢支部に基端部を上下揺動可能に枢支し、前記ブラケットの係止孔に連通可能な貫挿孔を設けたアームと、基端部を前記枢支部に上下揺動自在に枢支し、先端部を前記アームに沿って前方に突出させ、中間部に前記アームの貫挿孔に先端部が貫通し且つ前記ブラケットの係止孔に対して出没可能とする出没キーを備えた操作ロッドと、前記アームと前記操作ロッドとの間に前記出没キーの先端部を前記係止孔に対して嵌入する方向に付勢させて設けたバネと、から成る。
そして、前記操作ロッドによる出没キーの係止孔への出没操作と、係止孔から出没キーを抜いた状態でのアームの上下移動操作とにより前記昇降輪を任意の段階的高さに調節可能としたことを特徴とする。
【０００６】
請求項２記載の考案は上記考案において、前記ブラケットを左右平行なブラケットに形成し、該両ブラケット内の枢支部に前記アーム及び前記操作ロッドを枢着し、該操作ロッドに備えた前記出没キーの後端部を前記ブラケットの板面まで突出させ、前記係止孔を備えたブラケット面と対向するブラケット面には前記出没キーの後端部が通過可能となるスライド溝を形成したことを特徴とする。
【０００７】
請求項３記載の考案は上記考案において、前記各係止孔が、昇降輪の最下部と駆動輪の最下部とを結ぶ基準線に対して、ロータリの最下部が接触せずに上方となるよう位置決めしたロータリ浮上段用係止孔と、ロータリの最下部が僅かに下方となるよう位置決めした浅耕段用係止孔と、ロータリの最下部が爪部の長さの半分程度下方となるよう位置決めした中耕段用係止孔と、ロータリの回転軸が下方となるよう位置決めした深耕段用係止孔とから成ることを特徴とする。
【考案の効果】
【０００８】
本考案の昇降輪の高さ調節装置は、前記操作ロッドによる前記出没キーの前記係止孔への出没操作と、前記係止孔から前記出没キーを抜いた状態での前記アームの上下移動操作により前記昇降輪を任意の段階的高さに調節することが可能となる。
前記出没キーの出没操作及び前記アームの上下移動操作は「押す」、「引く」の単純な手動操作だけなので素早く容易に行うことができる。
その際、前記出没キーの出没操作は段階的高さに設けられた係止孔に対して行われ、前記出没キーがバネで付勢され前記係止孔に差し込まれ、前記係止孔に前記出没キーが差し込まれた後は、締め付け等の作業を要せず且つ前記アームに多少の弛みがあったとしても全く上下に移動し位置ずれが生じることなく確実に固定される。
【０００９】
請求項２に記載の考案は、左右平行なブラケット内に前記アーム及び前記操作ロッドが拘束されて枢着されるので前記アーム及び前記操作ロッドを外に大きく振れることなく安定的に上下揺動させることが可能となる。
更に前記操作ロッドの出没キーの後端部を長く形成し、その出没キーの後端部が前記ブラケットに形成したスライド溝に差し込まれるようにしたので、前記出没キーの移動可能幅を大きく取ることが可能となり、この結果、前記係止孔に対して前記出没キーが深く確実に差し込み可能且つ確実に引き抜き可能となる。
更に、前記スライド溝を前記ブラケットの枢支部を中心する同一円周上に前記係止孔と対向するように形成することで、前記出没キーの後端部を溝の両側で拘束ガイドし、前記係止孔及びこれと対応した貫挿孔と、前記スライド溝とに架橋された前記出没キーの枢支部を中心する円周方向の移動を安定化させることができる。
【００１０】
請求項３に記載の考案においては、前記ブラケットの下から順に設けたロータリ浮上段用係止孔、浅耕段用係止孔、中耕段用係止孔及び深耕段用係止孔へと前記出没キーが段差を置いて差し込まれ、その各段で昇降輪は全く上下にずれることなく確実に固定することが可能となる。
その際、一番下のロータリ浮上段用係止孔まで昇降輪を下げると、前記ロータリが地面から離れて浮き上がりロータリを全く道路等等の地面に接触させず円滑に管理機の移動が可能となり、又、前記浅耕段用係止孔から深耕段用係止孔まで、昇降輪を上げてそれぞれの位置に固定することで各段の深さに応じて農地を耕耘することができる。
【図面の簡単な説明】
【００１１】
【図１】歩行型管理機への使用状態を示す斜視図である。
【図２】昇降輪の高さ調節した各段の使用状態を示し（イ）は農地からロータリが浮いている状態を示し、（ロ）はロータリの耕耘が浅い場合い状態を示し、（ハ）はロータリの耕耘が深い状態を示す各使用状態の管理機の模式的側面図である。
【図３】本考案の前斜め上から見た斜視図である。
【図４】本考案の（イ）は係止孔へ出没キーの先端部を差し込んだ状態を示し、（ロ）は係止孔から出没キーの先端部を抜いた状態を示す各平面図である。
【図５】本考案の側面図である。
【考案を実施するための形態】
【００１２】
一般的に農業用の歩行型管理機は、図１に示すように、動力源、トランスミッション、クラッチ等を備えた機体の上部には操縦用のハンドル２が斜め後方に突出させて設けられ、該機体１の下部には走行用の駆動輪３と、耕耘用のロータリ回転軸に回転爪を設けたロータリ４と、耕耘深さ調節用の昇降輪５とが後ろから前へ順に配設されている。
本考案はこのような歩行型管理機の機体１から前側斜め下方へ向けて突設された昇降輪５の高さを上下に移動させて、該昇降輪５のロータリ４の爪の農地への沈み込みに対するストッパ機能により耕耘する農地に対するロータリ４の爪の入る深さを調節するための装置である。
以下、本考案の実施形態を図の実施例に基づいて説明する。
【００１３】
前記管理機の機体１の下部には、図１に示すように、前記駆動輪３、前記ロータリ４、前記昇降輪５が後ろから前へと順に配設される。
前記ロータリ４は、ロータリ回転軸の中央が前記管理機の機体１下部中央で支持され、その支持部にはエンジンからの回転力を該ロータリ４の回転軸に伝達するためのロータリミッションカバー６で覆われたロータリ駆動用ミッションが備わる。
【００１４】
前記ロータリ駆動用ミッションカバー６には、図３に示すように、間隔を開けて左右対称な２枚のフランジ６ａ、６ａをそのフランジ面を機体１の側方へ向けて設ける。
又、前記ロータリ駆動用ミッションカバー６の各フランジ６ａ、６ａには左右平行にそれぞれブラケット７、８を立てて固定ネジ２３で固定する。
なお、ミッションカバー６にフランジが中央に１枚ある場合には、該フランジを中心に隙間を設けて左右平行にそれぞれブラケット７、８をミッションカバー６に溶接するか又該フランジに対してボルトで固定することができる。
【００１５】
一方、図４の（イ）、（ロ）及び図５に示すように、先端部に前記昇降輪を回転自在に枢支するための枢支部１４ａを備え、該枢支部１４ａに前記昇降輪５を回転自在に枢支したアーム１４の後端部を、基端部１３ａ、１３ｂが二股に開いたアーム支持部１３の末端部の中央に溶接で強固に固着すると共に該アーム支持部１３の基端部１３ａ、１３ｂを前記機体１の前記左右のブラケット７、８間に枢支する。
なお、前記ブラケット７、８に該アーム支持部１３の両基端部１３ａ、１３ｂを枢支するため、前記左右のブラケット７、８には、それぞれ枢支孔９ｂ、９ａを設けて、該枢支孔９ｂ、９ａには枢支軸１０が貫装される。
又、図４中の符号２０及び２１は該アーム支持部１３の基端部１３ａ、１３ｂに設けた枢支孔２０、２１であり、該枢支孔２０、２１に前記枢支軸１０を貫装して前記アーム支持部１３が枢支される。
【００１６】
そして、前記右のブラケット８には、前記アーム支持部１３の枢支部を中心とした同一円周上に一定の間隔を置いて段階的に複数の係止孔１１ａ、１１ｂ、１１ｃ、１１ｄを設ける。
又前記アーム支持部１３の中間部には、前記係止孔１１と対応した位置に貫挿孔１７を設ける。
【００１７】
そして、前記アーム支持部１３の二股に分かれた両基端部１３ａ、１３ｂの枢支部間には、操作ロッド１５をその基端部１５ｂに枢支孔２２を設け、前記枢支軸１０を介して上下揺動自在に枢支する。
又、図３及び図５に示すように、前記操作ロッド１５の中間部は幅を大きくし、その中間部には、前記アーム支持部１３の貫挿孔１７に先端部１６ａが貫通し且つ前記係止孔１１に対して出没可能とした出没キー１６を固定する。
【００１８】
更に、前記アーム支持部１３の左側基端部１３ｂと前記操作ロッド１５との間に、前記操作ロッド１５を前記出没キー１６の先端部１６ａが前記係止孔１１に対して嵌入する方向に付勢したバネ１９を装着する。
図４では、前記バネ１９は前記枢支軸１０に装着した態様を示しているが、前記枢支軸１０から離して前記アーム支持部１３の左側基端部１３ｂと前記操作ロッド１５との間に直接設けても良い。
その場合、用いるバネ１９はコイルバネや板バネ等の各種のバネが使用可能である。
なお、図４では、前記操作ロッド１５の中間を内側に屈曲させ態様を示したが、これは前記バネ１９に押されて前記操作ロッド１５がアーム支持部１３の一方の基端部１３ａ側に寄せられるので、前記操作ロッド１５の先端部１５ａ側を中央側に直すために施したものである。
【００１９】
本考案は上記の如き構成であり、前記操作ロッド１５によって前記出没キー１６の係止孔１１への出没操作を容易に行うことが可能となるが、次にこの出没操作による前記昇降輪５の高さ調節の仕方を詳しく説明する。
先ず、図４の（イ）では前記操作ロッド１５の先端部１５ａを指で図の右側へ押すことで前記出没キー１６の先端部１６ａが、図４の（ロ）に示すように、前記係止孔１１から抜け、図５に示すように、前記操作ロッド１５が前記枢支軸１０を中心に該図５中の一点鎖線と実線とで示したように上下に揺動自在となる。
その際、前記操作ロッド１５の出没キー１６が前記アーム支持部１３の貫通孔１８に差し込まれた状態となっているので、前記アーム支持部１３も前記操作ロッド１５と一緒に上下に揺動自在となる。
即ち、前記アーム支持部１３に固着されているアーム１４の先端部に備わる昇降輪５が、係止孔１１へ差し込まれた出没キー１６によって上下移動が拘束された状態から、係止孔１１から出没キー１６が抜かれて上下移動の拘束が解かれて上下に揺動自在となる。
【００２０】
この際、前記枢支軸１０に装着したバネ１９により、前記操作ロッド１５に固定した前記出没キー１６の先端部１６ａが前記係止孔１１に対して嵌入する方向に付勢され続けているが、指で前記係止孔１１から前記出没キー１６を抜く方向（図４の右方向）に押し続けることで、複数の各係止孔１１を避けて上下全部範囲に揺動が自在となる。
前記係止孔１１から前記出没キー１６を抜いた後、前記操作ロッド１５を少し上下に移動すると、その係止孔１１から前記出没キー１６が外れるので、前記係止孔１１から前記出没キー１６を抜く方向へ押すのを止めると、前記バネ１９により前記出没キー１６の先端部１６ａが前記右のブラケット８の内壁に突き当たるが、その状態で前記操作ロッド１５を上下させると前記右のブラケット８の内壁面を滑って、前記バネ１９の押圧で次の段の係止孔１１に落とし込まれる。
【００２１】
従って、一段づつの高さ調節の仕方は、前記係止孔１１から前記出没キー１６を抜いた後、前記操作ロッド１５を少し上下に移動し、前記係止孔１１から前記出没キー１６を抜く方向へ押すのを止めて、前記操作ロッド１５を大きく上下させることで前記右ブラケット８の内壁面を滑った前記出没キー１６が次の段の前記係止孔１１にバネ１９の押圧で序動的に落とし込まれ、前記昇降輪５の一段の高さ調節が完了する。
【００２２】
次に、一段を飛び越えての高さ調節の仕方については、前記係止孔１１から前記出没キー１６を抜いた後、指で前記係止孔１１から前記出没キー１６を抜く方向（図４の右方向）に押し続けたままで前記出没キー１６が次の段を越えるまで上下に移動させ、その段を越えたら、前記係止孔１１から前記出没キー１６を抜く方向へ押すのを止めて、更に前記操作ロッド１５を大きく上下させることで前記右のブラケット８の内壁面を滑った前記出没キー１６が次の段の前記係止孔１１にバネ１９の押圧で自動的に落とし込まれ、前記昇降輪５の一段の高さ調節が完了する。
【００２３】
前記昇降輪５の高さ調節を行う際には、図５に示すように、前記ブラケット７、８の上部に固定した持ち上げグリップ２４を持ち上げることで、前記昇降輪５から前記出没キー１６にかかる機体１の荷重はなくなり、前記出没キー１６を抜くための抵抗がなくなって容易に前記昇降輪５の高さ調節を行うことが可能となる。
また、持ち上げグリップ２４を左手で握り、右手でアーム１４を握り、前記操作ロッド１５の先端部１５ａに親指を当てると容易に操作できる。
【００２４】
又、図４の（イ）及び（ロ）に示すように、前記出没キー１６の後端部１６ｂを操作ロッド１５の側面から前記係止孔１１側の右のブラケット８に対向した左のブラケット７に届くまで長く突出させ、前記アーム支持部１３の中間部には、貫挿孔１８を設けて前記出没キー１６の後端部１６ｂを該貫挿孔１８に貫通させ、更に前記右のブラケット７に、前記出没キー１６の後端部１６ｂが通過可能となる幅のスライド溝１２を形成する形態が可能である。
【００２５】
この形態では、図４の（ロ）に示すように、前記操作ロッド１５の出没キー１６の後端部１６ｂは長いので、前記操作ロッド１５を側方へ押したとき出没キー１６の後端部１６ｂはスライド溝１２を付き抜けて突出する。このため、前記出没キー１６の移動可能幅を大きく取ることが可能となる。
前記出没キー１６の移動可能幅が大きいと、前記係止孔１１に対して前記出没キー１６を深く確実に差し込めるようになり、又確実に引き抜くことができるようになる。
【００２６】
又この形態では、前記スライド溝１２は楕円状に広く開口することも可能であるが、例えば、図５に示すように、前記左のブラケット７に、枢支軸１０を中心する同一円周上に、前記係止孔１１と対向するスライド溝１２を設けることで、前記出没キー１６の後端部１６ｂを枢支部方向への移動を拘束することができる。
そして、前記係止孔１１及びこれと対応した貫挿孔１７と、前記スライド溝１２とに架橋された前記出没キー１６の安定的な上下の移動が可能となる。
【００２７】
又、前記各係止孔１１の各段の高さ位置は、図３及び図５に示すように、前記昇降輪５の最下部と前記駆動輪３の最下部とを結ぶ基準線に対して、前記左右のブラケット７、８の下部側から一定間隔を置いて順に、前記ロータリ４の最下部となる爪先端部が接触せずに上となる位置、前記ロータリ４の最下部となる爪先端部が僅かに下となる位置、前記ロータリ４の最下部となる爪先端部が該爪の長さの半分程度に下となる位置、前記ロータリ４の回転軸が下となる位置に、各々ロータリ浮上段用係止孔１１ａ、浅耕段用係止孔１１ｂ、中耕段用係止孔１１ｃ、深耕段用係止孔１１ｄを設定することができる。
【００２８】
この形態では、図２の（イ）に示すように、前記ロータリ浮上段用係止孔１１ａに前記出没キー１６を差し込んだときには、前記ロータリ４の最下部となる爪先端部が地面よも上となる。即ち、前記ロータリ４の最下部と地面との間に空間Ａが生じて浮き上がる。この段では前記ロータリ４を地面に接触させずに管理機を円滑に移動させることが可能となる。
又、図２の（ロ）に示すように、前記浅耕段用係止孔１１ｂに前記出没キー１６を差し込んだときには、前記ロータリ４の最下部となる爪先端部が僅かに地面より図中のＢだけ下となる。このため、前記ロータリ４の爪で農地の表面を浅く耕耘することが可能となる。
又、前記中耕段用係止孔１１ｃに前記出没キー１６を差し込んだときには、前記ロータリ４の最下部となる爪先端部が該爪部の長さの半分程度が地面の下となる。このため、前記ロータリ４の爪で農地を爪部の半分程度の深さで耕耘することが可能となる。
又、図２の（ハ）に示すように、前記深耕段用係止孔１１ｄに前記出没キー１６を差し込んだときには、前記ロータリ４の最下部となる爪先端部が前記ロータリ４の回転軸よりも図中のＣだけ下となる。この位置では前記ロータリ４の爪部が全部地面より下となり、農地を深く耕耘することが可能となる。
【産業上の利用可能性】
【００２９】
本考案の昇降輪の高さ調節装置は、図に示した実施例の歩行型管理機以外であっても耕耘用ロータリを備えた管理機であれば各種管理機に利用することが可能である。
【符号の説明】
【００３０】
１    機体
２    ハンドル
３    駆動輪
４    ロータリ
５    昇降輪
６    ロータリ駆動用ミッションカバー
６ａ  ミッションカバーのフランジ部
７    左のブラケット
８    右のブラケット
９ａ  枢支孔
９ｂ  枢支孔
１０  枢支部
１０ａ  枢支軸
１１  係止孔
１１ａ  ロータリ浮上段用係止孔
１１ｂ  浅耕段用係止孔
１１ｃ  中耕段用係止孔
１１ｄ  深耕段用係止孔
１２  スライド溝
１３  アーム支持部
１４  アーム
１４ａ  枢支部
１５  操作ロッド
１５ａ  操作ロッドの先端部
１５ｂ  操作ロッドの基端部
１６  出没キー
１６ａ  出没キーの先端部
１６ｂ  出没キーの後端部
１７  貫挿孔
１８  貫挿孔
１９  バネ
２０  枢支孔
２１  枢支孔
２２  枢支孔
２３  固定ネジ
２４  持ち上げグリップ
２５  ロータリカバー
【図１】
0003185596.tif 000003
【図２】
0003185596.tif 000004
【図３】
0003185596.tif 000005
【図４】
0003185596.tif 000006
【図５】
0003185596.tif 000007